(57)【特許請求の範囲】
【請求項１】
建物外周に位置する柱部と壁部からなる壁柱と、該壁柱に接合された水平に扁平の扁平梁と、該扁平梁に接合されたフラットスラブとから構成された建物であって、
前記壁柱は、所定の耐力を有するプレキャストコンクリート版にて構成されるとともに立面視市松状に配置されて、上階の壁柱の両端部下面が下階の隣り合う壁柱の対向する端部上面に接合されて、前記壁柱の両端部において柱が通った通し柱構造とされ、
前記扁平梁は、壁柱内面より突出した扁平状に前記壁柱の上下端部に接合されて、建物外周方向に延びた構造とされ、
前記フラットスラブは、前記扁平梁と略同厚のボイドスラブ、プレキャストコンクリート版、ハーフプレキャストコンクリート合成床版のいずれかとされて前記扁平梁の上下面と面一に一体的に接合され、
建物外周構面は、建物の外周方向に延びる前記扁平梁が垂直方向に延びる前記通し柱に剛接合されて耐震壁付ラーメン構造とされ、外周壁と天井から柱型と梁型が突出しないようにされた建物。
【請求項２】
前記壁柱は、幅寸法が異なる複数種類のモジュールを備え、各種モジュールが選択されて組み合わされて開口幅が調整されていることを特徴とする請求項１に記載された建物。
【請求項３】
前記扁平梁は、前記壁柱の外面寄り上・下端部に壁柱外面と面一に立ち上げ・垂下形成された、肋筋が埋設された前記壁柱より薄いプレキャストコンクリート突出部と、取り合い筋配筋後打設されたフラットスラブコンクリートと一体の現場打設部とから構成されていることを特徴とする請求項１乃至請求項２のいずれかに記載された建物。
【発明の詳細な説明】
【技術分野】
【０００１】
本発明は、壁柱を市松状に配設した建物に関する。
【背景技術】
【０００２】
従来、内柱をローコストでなくすことができる建物構造を提供することを目的として、建物の外側構面のみを地震力を負担可能な壁梁及び壁柱によって構成し、当該建物の内部の梁として鉄骨梁と鉄筋コンクリート床とからなる合成小梁を採用して内柱をなくした建物構造が提案されている（特許文献１）。
【０００３】
この内柱をなくした建物構造は、内柱をなくすことができるものの、壁梁の梁成が高くなって垂れ壁と腰壁が形成されることから、開口部形状が制約されるという問題がある。
また、外壁部には柱型と梁型の突出を少なくすることができるが、天井面には梁型が突出するという問題もある。
さらにまた、全ての構造材が現場打ちのＲＣ造であるので、施工期間が長期化して施工コストが嵩む。
【先行技術文献】
【特許文献】
【０００４】
【特許文献１】特開平０９−２６４０５０号公報
【発明の概要】
【発明が解決しようとする課題】
【０００５】
本発明は、上述した種々の課題を解決するために創作されたもので、高度に省力化して工期短縮を図り建築コストを低減化するとともに、室内に柱型、梁型の突出が少ないフレキシビリティの高い内部空間を有する建物を提供することを目的とするものである。
【課題を解決するための手段】
【０００６】
請求項１に係る発明は、建物外周に位置する柱部と壁部からなる壁柱と、該壁柱に接合された水平に扁平の扁平梁と、該扁平梁に接合されたフラットスラブとから構成された建物であって、前記壁柱は、所定の耐力を有するプレキャストコンクリート版にて構成されるとともに立面視市松状に配置されて、上階の壁柱の両端部下面が下階の隣り合う壁柱の対向する端部上面に接合されて、前記壁柱の両端部において柱が通った通し柱構造とされ、前記扁平梁は、壁柱内面より突出した扁平状に前記壁柱の上下端部に接合されて、建物外周方向に延びた構造とされ、前記フラットスラブは、前記扁平梁と略同厚のボイドスラブ、プレキャストコンクリート版、ハーフプレキャストコンクリート合成床版のいずれかとされて前記扁平梁の上下面と面一に一体的に接合され、建物外周構面は、建物の外周方向に延びる前記扁平梁が垂直方向に延びる前記通し柱に剛接合されて耐震壁付ラーメン構造とされ、外周壁と天井から柱型と梁型が突出しないようにされた建物とした。
【０００７】
請求項２に係る発明は、前記壁柱は、幅寸法が異なる複数種類のモジュールを備え、各種モジュールが選択されて組み合わされて開口幅が調整されていることを特徴としている。
【０００８】
請求項３に係る発明は、前記扁平梁は、前記壁柱の外面寄り上・下端部に壁柱外面と面一に立ち上げ・垂下形成された、肋筋が埋設された前記壁柱より薄いプレキャストコンクリート突出部と、取り合い筋配筋後打設されたフラットスラブコンクリートと一体の現場打設部とから構成されていることを特徴としている。
【発明の効果】
【０００９】
請求項１に係る発明によれば、壁柱が立面視市松状に配置されて、上階の壁柱の両端部下面が下階の隣り合う壁柱の対向する端部上面に接合されて、前記壁柱の両端部において柱が通った通し柱構造としたから、壁柱の上下端部に接続した梁を扁平梁とすることができ、通し柱と扁平梁でラーメン架構、壁柱を耐震壁とした耐震壁付ラーメン架構として構成することができる。
また、扁平梁は、建物外周方向に延びた構造とするとともに、フラットスラブは、扁平梁と略同厚として扁平梁の上下面と面一に一体的に接合したから、外周壁と天井から柱型と梁型の突出が少ないようにでき、間取り設計の自由度を高くすることが可能となり、高いフレキシビリティを確保することができる。
さらに、フラットスラブは、ボイドスラブ、プレキャストコンクリート版、ハーフプレキャストコンクリート合成床版のいずれかとされているので床重量を軽量化または工期を短縮することができる。
さらにまた、壁柱はプレキャストコンクリート製であること、及び、市松状に配置されて左右に隣接する壁柱が存在せず隣接する壁柱同士の湿式の接合工程を省くことができることから、工期期間を短縮して施工コストを大幅に削減することができ、また、型枠等の廃材を減少して環境負荷を低減することもできる。
【００１０】
請求項２に係る発明によれば、壁柱を幅寸法が異なる複数種類のモジュール化して、各種モジュールを選択して組み合わせることによって、開口幅を任意に調整することができる。
また、柱部の鉄筋の一部を他の鉄筋よりも太径としてフープ筋で拘束する構成にすれば、設計耐力を大きくとる部位において幅が狭い壁柱を多数配置することにより、耐力を増強することができる。反対に設計耐力をさほど大きくとる必要のない部位においては、幅が広い壁柱を配置して広い開口を確保することもできる。要するに、設計条件に合わせて簡易に壁量を調整することが可能である。
【００１１】
請求項３に係る発明によれば、壁柱の外面寄り上・下端部に壁柱外面と面一に立ち上げ・垂下形成された、肋筋が埋設された前記壁柱より薄いプレキャストコンクリート突出部が、扁平梁のハーフプレキャストコンクリート、すなわち捨て型枠兼躯体となり、フラットスラブの型枠上にコンクリートを打設する単一の工程で、フラットスラブコンクリートと一体の扁平梁の現場打設部を造成することが可能であり、独立した扁平梁造成工程を省略でき、この点においても工期期間の短縮に寄与することができる。
【図面の簡単な説明】
【００１２】
【図１】図１は、本発明の建物の横断面図である。
【図２】図２は、本発明の外周壁の部分拡大立面図である。
【図３】図３は、図２のＡ−Ａ線矢視図である。
【図４】図４は、本発明の壁柱の横断面図である。
【図５】図５は、本発明の壁柱の柱部の主筋を機械式継手で接合する実施例１を模式的に説明する模式説明図である。
【図６】図６は、本発明の幅寸法が異なるモジュールを選択して組み合わせて開口幅が調整された実施例２を模式的に示す部分拡大立面図である。
【実施例１】
【００１３】
先ず、図１乃至図５を参照して、本実施例の建物について説明する。
≪建物全体≫
建物１の外周は耐震壁２構造とされており、この耐震壁２は、壁柱４と横扁平の扁平梁５とから構成されている。
また、この実施例においては、建物１内部に従来構造の耐震壁からなるコア部３が構築されている。
【００１４】
壁柱４は、所定の耐力を有するプレキャストコンクリート版にて構成されている。
そして、この壁柱４は、その左右上下には壁柱４が存在しない立面視市松状に配置されており、上階の壁柱４の両端部下面が下階の隣り合う２枚の壁柱４．４の対向する端部上面に接合されて、壁柱４の両端部において柱が通った通し柱構造とされている。
なお、間口が不要な場合は帳壁で塞ぐことができる。
【００１５】
また、扁平梁５は、壁柱４の内面より内方に突出した横扁平状に壁柱４の上下端部に接合されて、建物１の外周方向に延びている。
建物１外周構面は、建物１の外周方向に延びる扁平梁５が垂直方向に延びる通し柱に剛接合されて、ラーメン架構が構成されている。
【００１６】
≪壁柱と通し柱≫
図２．３に示されるように、壁柱４の柱部４１を除く壁部４２の外面寄り上端部には、柱部４１を除く壁部４２の全幅にわたって上階用扁平梁５の肋筋５７とふかし筋５２が埋設された、壁部４２よりも薄い突出部５１が、壁柱４の外面と面一に立設されている。換言すれば図２に示すように、下階の壁柱４の柱部４１の上端は切欠かれていて、その切欠き４４に当該階の壁柱４下端に垂下形成された突出部５３の角部を建て込み、下階の隣り合う２枚の壁柱４の対向する柱部４１上端から突出している各２本の主筋Ｄ３５を機械式継手のスリーブ４３に嵌合してグラウト注入することにより、当該階の１枚の壁柱４と下階の隣り合う２枚の壁柱４．４が接合される。
【００１７】
この作業を繰り返して当該階の壁柱４の建て込みと下階の壁柱４との接合を実行する。
この作業によって、壁柱４の両端部において柱部４１が垂直方向に通った通し柱構造を構築していく。
【００１８】
図４を参照して、壁柱４は、縦横筋が配筋された壁部４２と、その両端部に一体的に形成された、主筋及び主筋を拘束するフープ筋が配筋された柱部４１と、からなるプレキャストコンクリート製版である。
柱部４１の複数本の主筋のうち壁柱の厚さ方向中央に位置する２本の主筋は、直径が他の主筋Ｄ１３より太いＤ３５とされ、壁柱４の柱部４１上端、すなわち切欠き４４から突出している（図２参照）。
【００１９】
下階の壁柱４の切欠き４４から突出している主筋Ｄ３５は、図５に模式的に示されるように、上下左右に壁柱４が存在しない市松状に配置される当該階の壁柱４の柱部４１の下端部に形成されている機械式継手４３に挿入され、グラウト注入されて縦方向に接合される。
図５をみて分かるように、壁柱４は、横方向には連続しないで間隔を置いて配設されている関係から接合されないので、通常の湿式工法による横方向に並ぶ壁柱４同士の接合工程を省略し得る。
壁部４２は、上述の柱部４１の奥行き寸法である厚さと同厚とされ、Ｄ１３の縦横筋が配筋されている。
このため、建物の外周部には柱型の突出を少なくできる。
【００２０】
なお、この実施例の建物１の壁柱４は、建物外周の隅部の交差する両面の１スパンについては、同一幅の壁柱４を全ての階に配設して耐力を増強しているが、この部分においても通常の市松状に配設することとしても良い。
【００２１】
≪扁平梁≫
段落００１６において既に述べたように、壁柱４の壁部４２の外面寄り上端部には、上階の扁平梁５の肋筋５７とふかし筋５２が埋設された、壁部４２よりも薄い突出部５１が、壁柱４の外面と面一に立設されている。
同じく壁柱４の外面寄り下端部にも、壁柱の全幅にわたって当階の扁平梁の肋筋５８とふかし筋５４が埋設された、壁部４２よりも薄い突出部５３が、壁柱４の外面と面一に垂下形成されている。
【００２２】
これらの壁柱４の外面寄り上下端部に形成された突出部５１．５３は、ハーフプレキャストコンクリート扁平梁である。
このハーフプレキャスト扁平梁５１．５３は、後述するようにフラットスラブ６のコンクリートが打設されたとき、捨て型枠兼躯体となって現場打設部５５．５６と一体となって完成した扁平梁５となり、壁柱４とフラットスラブ６と一体化されて建物の外周方向に延びる構造となる。
【００２３】
≪床≫
フラットスラブ床６は、完成した扁平梁５と同厚のボイドスラブとされて扁平梁５の上下面と面一に一体的に接合された構造とされている。
図３を参照して、フラットスラブ６の型枠（図示省略）を仮設し、さらに壁柱４と扁平梁５とフラットスラブの取り合い配筋（図示省略）及びフラットスラブ配筋（図示省略）を行い、ワインディングパイプを設置した後、上記したハーフプレキャストコンクリート扁平梁５１．５３の高さに相当する厚みのコンクリートを打設して、扁平梁５の現場打設部５５．５６とフラットスラブ６を同時に一体的に施工する。
【００２４】
本発明においては、図３に示される、肋筋５７．５８及びふかし筋５２．５４が配されている部位を扁平梁５の現場打設部と称し、上記ハーフプレキャスト扁平梁５１．５３と合わせて扁平梁５と称している。
上記のコンクリート打設工程により、壁柱４と扁平梁５が一体化された構造、及び、扁平梁５とフラットスラブ６が一体化された構造を構築する。
扁平梁５とフラットスラブ６は上記構成を備えているため、梁型は柱型と同様に室内空間に突出して現れることがないので、室内空間は建物の使用時に高いフレキシビリティを確保することができる。
【００２５】
≪耐震壁≫
本発明の建物１の外周は、上記した市松状に配設された壁柱４の下階から上階に通る柱部４１と、建物の外周方向に延びる扁平梁５と、市松状に配設された壁柱４とが、耐震壁付ラーメン構造として、十分な耐力を備えることとなる。
【実施例２】
【００２６】
実施例１では、図２、図５に示すように、壁柱４の幅が同一サイズのものを市松状に配設して建物１を構築したが、本実施例では図６に示すように、幅寸法が異なる複数種類のモジュールのプレキャストコンクリート製壁柱４Ａ．４Ｂ．４Ｃ．４Ｄ．４Ｅを予め製作しておいて、各種モジュールを選択して組み合わせて外周壁２を構築する。
このようにすると、その幅がバラエティに富んだ開口を自在に形成することが可能となり、柱型と梁型の突出が少ないフレキシビリティと相俟って意匠設計の自由度を高めることができる。
【００２７】
柱部４１の鉄筋Ｄ３５を壁部の鉄筋より太径としてフープ筋で拘束する構成としたから、設計耐力を大きくとる部位において幅が狭い壁柱、例えば図６の４Ａ．４Ｂを多数配置することにより、耐力を増強することができる。
反対に、設計耐力をさほど大きくとる必要のない部位においては、幅が広い壁柱、例えば図６の４Ｄ．４Ｅを配置して広い開口を確保して開放感のある建物とすることもできる。
【実施例３】
【００２８】
この実施例は、実施例２の壁柱の幅を変更するものとは異なり、壁柱の幅の異同とは無関係に、柱部４１の幅を大きくすることにより耐力を増強しようとするものである。
例えば図６の壁柱４Ｃの両側の柱部の幅を、破線で示すように異なる寸法にして、通し柱の強度を変更自在とする。
これにより、設計耐力を大きくとる部位において通し柱の幅を広くして必要な強度を確保する。
【００２９】
そして、外周偏平梁を全てＰＣａとして壁柱と分離して構築することも可能である（図示省略）。
【符号の説明】
【００３０】
１    建物
２    耐震壁
３    コア部
４    壁柱
４１    柱部
４２    壁部
４３    スリーブ
４４    切欠き
５    扁平梁
５１    突出部
５２    ふかし筋
５３    突出部
５４    ふかし筋
５５    現場打設部
５６    現場打設部
５７    肋筋
５８    肋筋
６    フラットスラブ
【図１】
0005382872.tif 000002
【図２】
0005382872.tif 000003
【図３】
0005382872.tif 000004
【図４】
0005382872.tif 000005
【図５】
0005382872.tif 000006
【図６】
0005382872.tif 000007